(57)【要約】【課題】従来測定が困難であった液中の界面や固体−固体界面まで測定可能で、かつ、種々の物質にも対応して界面の物質の超高速応答を観測することが可能な、４次の非線形光学効果に基づく界面の時間領域振動分光法および装置を提供する。【解決手段】いずれか一方を相対的に時間遅延させた波長可変の書き込み光と読み出し光を測定対象物質に集光して該測定対象物質から読み出し光のほぼ半分の波長をもつ信号光を放出させ、書き込み光と読み出し光の反射光および散乱光を遮断し信号光のみを透過するフィルターを用いて該信号光のみを検出することを特徴とする、４次の非線形光学効果に基づく界面の時間領域振動分光法および装置。【選択図】図１
2005195424.tif 000002
【特許請求の範囲】
【請求項１】
いずれか一方を相対的に時間遅延させた書き込み光と読み出し光を測定対象物質に集光して該測定対象物質から読み出し光のほぼ半分の波長をもつ信号光を放出させ、読み出し光を遮断し信号光のみを透過するフィルターを用いて該信号光のみを検出することを特徴とする、４次の非線形光学効果に基づく界面の時間領域振動分光法。
【請求項２】
書き込み光と読み出し光の光源に波長可変の光源を用いる、請求項１の時間領域振動分光法。
【請求項３】
前記書き込み光および読み出し光としてパルス光を用いる、請求項１または２の時間領域振動分光法。
【請求項４】
前記書き込み光および読み出し光を同じ光源光から作製する、請求項１〜３のいずれかに記載の時間領域振動分光法。
【請求項５】
前記書き込み光および読み出し光の光源としてレーザー光源を用いる、請求項１〜４のいずれかに記載の時間領域振動分光法。
【請求項６】
さらに、前記信号光の検出信号をフーリエ変換し、振動スペクトルを得る、請求項１〜５のいずれかに記載の時間領域振動分光法。
【請求項７】
いずれか一方を相対的に時間遅延させた書き込み光と読み出し光を測定対象物質に集光させる手段と、前記測定対象物質からの読み出し光の反射光を遮断し前記測定対象物質から放出される読み出し光のほぼ半分の波長をもつ信号光のみを透過するフィルターと、該フィルターを透過した信号光を検出する手段とを有することを特徴とする、４次の非線形光学効果に基づく界面の時間領域振動分光装置。
【請求項８】
書き込み光と読み出し光の光源に波長可変の光源を用いられている、請求項７の時間領域振動分光装置。
【請求項９】
前記書き込み光および読み出し光としてパルス光が用いられている、請求項７または８の時間領域振動分光装置。
【請求項１０】
前記書き込み光および読み出し光が同じ光源光から作製される、請求項７〜９のいずれかに記載の時間領域振動分光装置。
【請求項１１】
前記書き込み光および読み出し光の光源としてレーザー光源が用いられている、請求項７〜１０のいずれかに記載の時間領域振動分光装置。
【請求項１２】
さらに、前記信号光検出手段による検出信号をフーリエ変換し、振動スペクトルを得る手段を有する、請求項７〜１１のいずれかに記載の時間領域振動分光装置。
【発明の詳細な説明】
【技術分野】
【０００１】
本発明は、時間領域振動分光法および装置に関し、とくに、従来測定が困難であった水中の界面や固体−固体界面の分子の超高速応答を観測することが可能な、４次の非線形光学効果に基づく界面の時間領域振動分光法および装置に関する。
【背景技術】
【０００２】
界面の選択的な振動分光法としては、Ｓｈｅｎらによって開発され、Ｒｉｃｈｔｅｒらによって発展された和周波発生(SFG)法がある。この方法では赤外光をプローブ光として用いるため、赤外光の透過率の悪さから液中の界面や固体−固体界面の測定が不可能である。また、Ｃｈａｎｇら、松本吉泰らによる論文に見られるように、本発明と同等の情報を得ることができる方法として時間分解第二高調波発生(TRSHG)法がある。彼らの方法では波長固定（800 nm）の条件を用いた固体表面の観測結果のみが報告されている。しかし、様々な物質に適用するには、適切な共鳴条件を選択できる波長可変光源を使う必要があるものと考えられるため、波長固定のこの方法では対応できない。
【発明の開示】
【発明が解決しようとする課題】
【０００３】
そこで本発明の課題は、従来測定が困難であった液中の界面や固体−固体界面まで測定可能で、かつ、種々の物質にも対応して界面に存在する物質のみの超高速応答を観測することが可能な、４次の非線形光学効果に基づく界面の時間領域振動分光法および装置を提供することにある。
【課題を解決するための手段】
【０００４】
上記課題を解決するために、本発明に係る４次の非線形光学効果に基づく界面の時間領域振動分光法は、いずれか一方を相対的に時間遅延させた書き込み光と読み出し光を測定対象物質に集光して該測定対象物質から読み出し光のほぼ半分の波長をもつ信号光を放出させ、読み出し光を遮断し信号光のみを透過するフィルターを用いて該信号光のみを検出することを特徴とする方法からなる。すなわち、相対的に時間遅延させた書き込み光と読み出し光を測定対象物質に集光することにより、測定対象物質と異なる媒質が接する界面から読み出し光のほぼ半分の波長をもつ信号光が放出される。書き込み光と読み出し光を遮断し信号光を透過するフィルターを用いて、この信号光のみを検出することにより、測定対象物質の界面に存在する物質のみの超高速応答を観測することが可能になる。とくに、書き込み光と読み出し光との時間遅延経路を操作しながら信号光の時間変化を観測することにより、界面に存在する物質のみの超高速応答を観測することが可能になる。
【０００５】
この時間領域振動分光法においては、書き込み光と読み出し光の光源に広い範囲で波長可変な光源を用いることが好ましい。波長可変光源を用いることにより、種々の物質の電子状態遷移あるいは振動状態遷移に共鳴した信号光強度の増大を利用できる。すなわち、物質ごとに信号が増強される波長が異なるので、それを利用すると特定の物質からの信号だけを取り出すことができる。したがって、広い範囲の物質による超高速応答を界面選択的に観測することが可能になる。
【０００６】
この時間領域振動分光法においては、とくに、書き込み光と読み出し光に可視光を用いることができる。可視光を用いて測定することにより、種々の雰囲気中にある（例えば、水中の）界面の測定や固体−固体界面の測定が可能になる。
【０００７】
この時間領域振動分光法においては、前記書き込み光および読み出し光としてパルス光（例えば、レーザー光、中でもフェムト秒レベルの時間幅のレーザー光）を用いることができる。
【０００８】
前記書き込み光と読み出し光は、異なる光源からの光とすることも可能であるが、同じ光源光から作ることが好ましく、それによって時間軸でのジッターを抑えることができる。
【０００９】
これら書き込み光および読み出し光の光源としては、レーザー光源を用いることができる。例えば、後述の実施例に示すように、レーザー光源の出力光によって光パラメトリック増幅器を駆動させることにより、例えば可視領域で波長可変のフェムト秒レベルのパルス光を発生させることができる。
【００１０】
また、上記測定対象物質は特に限定されず、上記信号光を検出可能な測定対象物質であれば如何なる対象に対しても界面物質の超高速応答の観測が可能である。とくに本発明に係る時間領域振動分光法は、測定対象物質の界面に波長可変の光からなる書き込み光と読み出し光を集光させることができ、そこから放出される読み出し光のほぼ半分の波長をもった信号光を検出することが可能である限り、如何なる測定対象物質、如何なる界面状態に対しても測定が可能となり、とくに、従来測定が困難であった液中の界面や固体−固体界面まで測定可能となる。
【００１１】
本発明に係る時間領域振動分光法では、さらに、前記信号光の検出信号をフーリエ変換し、振動スペクトルを得ることができる。これによって、界面における物質の振動スペクトルが測定可能となり、超高速応答の観測を定量的に行うことができる。
【００１２】
本発明に係る４次の非線形光学効果に基づく界面の時間領域振動分光装置は、いずれか一方を相対的に時間遅延させた書き込み光と読み出し光を測定対象物質に集光させる手段と、前記測定対象物質からの読み出し光の反射光を遮断し前記測定対象物質から放出される読み出し光のほぼ半分の波長をもつ信号光のみを透過するフィルターと、該フィルターを透過した信号光を検出する手段とを有することを特徴とするものからなる。
【００１３】
この時間領域振動分光装置においては、書き込み光と読み出し光の光源に波長可変の光源を用いることができる。とくに、書き込み光と読み出し光に可視光を用いることができる。さらに、書き込み光および読み出し光としてパルス光を用いることができる。これら書き込み光および読み出し光は同じ光源光から作製することができる。書き込み光および読み出し光の光源としてはレーザー光源を用いることができる。
【００１４】
また、本発明に係る時間領域振動分光装置は、さらに、前記信号光検出手段による検出信号をフーリエ変換し、振動スペクトルを得る手段を有するものに構成できる。
【発明の効果】
【００１５】
このように、本発明に係る４次の非線形光学効果に基づく界面の時間領域振動分光法および装置によれば、相対的に時間遅延させた書き込み光と読み出し光を測定対象物質に集光させて測定対象物質から放出される読み出し光のほぼ半分の波長をもつ信号光のみをフィルターを用いて検出するようにしたので、界面に存在する物質のみの超高速応答を観測することが可能になる。とくに、書き込み光と読み出し光に波長可変の可視光光源を用い、時間遅延経路を操作しながら信号光の時間変化を観測することにより、従来測定が困難であった液中の界面や固体−固体界面に存在する物質のみの超高速応答を高精度で観測することが可能になる。
【発明を実施するための最良の形態】
【００１６】
以下に、本発明の望ましい実施の形態を、図面を参照しながら説明する。
本発明に係る４次の非線形光学効果に基づく界面の時間領域振動分光法を実施するために、卓上型レーザーで駆動させた光パラメトリック増幅器の出力光を用いた装置を自作して実験を行った。図１は、本発明の一実施態様に係る時間領域振動分光装置１を示している。本実施態様では、水溶液と大気が接する界面の光学過渡応答を測定可能とするため、光源として卓上型レーザー光源２を用い、レーザー光源２の出力光によって光パラメトリック増幅器３を駆動させることによって可視領域で波長可変なフェムト秒レベルのパルス光を発生させている。実験装置で使用したより具体的な仕様は、卓上型レーザー光源２としてチタンサファイヤレーザー再生増幅器（波長：８００ｎｍ、時間分解能：１３０ｆｓ）を用い、この出力光により、光パラメトリック増幅器３によって、可視領域で波長可変のフェムト秒パルス（波長：５００〜７００ｎｍ、自己相関幅：２５ｆｓ  ａｔ６１０ｎｍ）を発生させる。
【００１７】
光パラメトリック増幅器３からの出力光（６１０ｎｍ）を、ビームスプリッター４を用いて、光学過渡現象の書き込み光５と読み出し光６の二つに分ける。これら書き込み光５と読み出し光６は相対的に時間遅延されるが、本実施態様では、書き込み光５が、読み出し光６に対して時間遅延光学系（時間遅延路）７を用いて時間遅延され、読み出し光６と時間遅延された書き込み光５とが、測定対象物質としての容器中に収容された色素（ナイルブルー）含有水からなる試料８の表面に集光される。この操作により、読み出し光６の反射光の方向に、入射光の半分の波長を持つ信号光（３０５ｎｍ）が放出される。この放出された信号光のみが透過するフィルター９を用いて、読み出し光６を遮断しつつ、信号光のみが検出器１０により検出される。本実施態様では、フィルター９の手前に測定光の方向を調整するためのミラー１１が設置されており、書き込み光５の反射光に対しては、遮断のためのブロック１２が設けられている。時間遅延光学系７を図１の矢印の方向に移動させることによって遅延時間を調整しながら、信号光の時間変化を観測することにより、界面に存在する色素分子のみの超高速応答を観測することができた。
【００１８】
図２は、上記時間領域振動分光装置１を用いて検出した信号の例を示している。これは水／空気界面に局在する色素（ナイルブルー）からの信号である。この図２から、界面に局在した分子からの応答が、高い信号ノイズ比で観測されていることが分かる。この信号をフーリエ解析することにより、図３に示すような１０００ｃｍ-1以下の振動スペクトルを得ることができる。図３に示すスペクトルは，界面分子のラマンスペクトルに対応するものである。この図３から、極めて高い精度で所望の界面分子の振動スペクトルが得られていることが分かる。
【００１９】
このように、本発明に係る時間領域振動分光法および装置では、波長可変な光源を用いて界面からの信号光のみを観測することにより、様々な物質を選択的に測定することが可能になり、光路中の吸収に敏感な赤外光を用いることなく測定できるため、従来測定が困難であった液中の界面や固体−固体界面に存在する物質のみの超高速応答を高精度で観測することが可能になった。
【産業上の利用可能性】
【００２０】
本発明に係る時間領域振動分光法および装置は、基本的にあらゆる界面を構成する物質の光学的応答の観測に適用でき、とくに、可視光を使用可能な水中の界面や固体−固体界面の測定に好適である。
【図面の簡単な説明】
【００２１】
【図１】本発明の一実施態様に係る時間領域振動分光装置の概略構成図である。
【図２】図１の装置の検出信号例を示す第二高調波光強度変化特性図である。
【図３】図２の検出信号から求めた振動スペクトルを示す図である。
【符号の説明】
【００２２】
１  時間領域振動分光装置
２  レーザー光源
３  光パラメトリック増幅器
４  ビームスプリッター
５  書き込み光
６  読み出し光
７  時間遅延光学系
８  測定対象物質としての試料
９  信号光のみを透過するフィルター
１０  検出器
１１  ミラー
１２  ブロック
【図１】
2005195424.tif 000003
【図２】
2005195424.tif 000004
【図３】
2005195424.tif 000005